(57)【特許請求の範囲】
【請求項１】
上部側解放の下部ケース体とこの下部ケース体に上から被せられて固着された下部側を解放した上部ケース体とを有し、前記上部ケース体の上面に少なくとも複合操作スイッチと複数の押しボタン式スイッチを取り付けたゲーム機用の操作盤において、前記複合操作スイッチを、前記上部ケース体に取り付けた装着盤と、この装着盤を貫通して当該装着盤に対し前後左右方向へ揺動可能となるようにその略中間部を取り付けた操作レバーと、この操作レバーを囲んで一段又は複数段に渡って前記装着盤の下部に配設され、当該操作レバーによってＯＮ、ＯＦＦされる複数のマイクロスイッチと、前記装着盤に取付けられ前記操作レバーの自由端側が揺動可能となるように挿通させることのできる軟質の材料で構成したガイド孔を有するガイド板とで構成し、前記押しボタン式スイッチを、前記操作盤に取り付けられた筒状のケース本体と、このケース本体内部の底板に取り付けられたところの常に上方へ摺動付勢されたスイッチノブを有するプッシュスイッチと、前記ケース本体に対し上下方向へスライド可能に収装され前記スイッチノブを介して前記プッシュスイッチをＯＮ、ＯＦＦさせる筒状の押しボタン部材と、この押しボタン部材の両側に設けたそれ自身が弾性を有する係止部材と、この係止部材の先端部に設けた係止部と、前記ケース本体の外周に設けた前記係止部をガイドするガイド角孔と、前記底板の内底部の前記押しボタン部材の外周部分と衝接する部分に敷設した消音部材とで構成し、前記操作盤の少なくとも前記上部ケース体の裏側に前記複合操作スイッチと前記押しボタン部材の部分を囲んで吸音部材を取り付けたことを特徴とする、ゲーム機用の操作盤。
【請求項２】
前記マイクロスイッチに、リードスイッチを用いたことを特徴とする、請求項１に記載のゲーム機用の操作盤。
【請求項３】
前記操作レバーが、その傾倒時に前記ガイド孔と衝接する操作筒体の当接部を軟質の材料から成る消音部材で包囲するように成したことを特徴とする、請求項１に記載のゲーム機用の操作盤。
【請求項４】
前記ガイド板のガイド孔を設けた部分を独立したガイド筒体とし、このガイド筒体の部分を軟質の材料から成る消音部材で構成したことを特徴とする、請求項１に記載のゲーム機用の操作盤。
【請求項５】
前記ガイド板に設けたガイド孔の部分に軟質の材料から成る消音部材を取付けたことを特徴とする、請求項１に記載のゲーム機用の操作盤。
【請求項６】
前記ガイド板に設けたガイド孔と、前記操作レバーに設けた当接部との双方に軟質の材料から成る消音部材を取り付けたことを特徴とする、請求項１に記載のゲーム機用の操作盤。
【請求項７】
前記プッシュスイッチに、リードスイッチを用いたことを特徴とする、請求項１に記載のゲーム機用の操作盤。
【請求項８】
前記押しボタン式スイッチの押しボタン部材に設けた前記係止部材の前記係止部が、ケース本体に設けた前記押しボタン部材の前記ガイド角孔の上部と当たる部分に、軟質の材料から成る消音部材を取り付けたことを特徴とする、請求項１に記載のゲーム機用の操作盤。
【請求項９】
前記押しボタン式スイッチの前記押しボタン部材の前記ガイド角孔の上部側に、軟質の材料から成る消音部材を取り付けたことを特徴とする、請求項１に記載のゲーム機用の操作盤。
【発明の詳細な説明】
【技術分野】
【０００１】
本発明は、とくに家庭用のテレビゲーム機に用いて好適なゲーム機用の操作盤に関する。
【背景技術】
【０００２】
近年、テレビゲーム機は広く各家庭に普及しており、この家庭用テレビゲーム機に用いられる操作盤として下記特許文献１に記載したものが公知である。この特許文献１に記載の操作盤には、その上面に複数のマイクロスイッチを一つの操作レバーで適宜選択して開閉させることの出来る複合操作スイッチと、複数の押しボタン式スイッチが取り付けられている。がしかし、とくに消音手段を有してはいない。また、そこに用いられている複合操作スイッチは、特許文献２に示したように、操作盤の装甲板へ取り付ける装着盤と、この装着盤に揺動自在に支持された操作レバーと、この操作レバーを囲んで前記装着盤上に囲設された複数のマイクロスイッチ群と、前記操作レバーの自由端側を挿通させるガイド孔を有し、前記マイクロスイッチを装着盤に固定させるべく前記装着盤側より突設した支持柱に取付ネジで回転可能に取り付けて成るガイド板とで構成されており、とくに操作レバーの操作における消音手段については考慮されていない。また、マイクロスイッチは、当該マイクロスイッチのアクチュエータを押して可動片を動かして固定片と接触させてＯＮ、ＯＦＦを行うという一般的な構成のものであったので、その際に固定接点片と可動接点片が当る衝撃音（以下操作音という場合がある。）が発生するというものであった。さらに、押しボタン式スイッチ装置についても、特許文献１の図８に示したように、押しボタン部材を押圧操作した際の消音手段が施されていない。
【先行技術文献】
【特許文献】
【０００３】
【特許文献１】特開平１０-１５６０４０号公報
【特許文献２】特開平１１-０２４７７６号公報
【発明の概要】
【発明が解決しようとする課題】
【０００４】
ゲーム者は、ゲームに夢中になると、つい力が入って複合操作スイッチの操作レバーや押しボタン式スイッチの押しボタン部材を乱暴に押したり叩いたりする場合が多々生じる。したがって、ゲーム中にこれらの複合操作スイッチや押しボタン式スイッチを操作すると、例えば操作レバーがガイド板のガイド孔に当たる際に発生する衝撃音や、押しボタン式スイッチの押しボタン部材に対する押圧操作時に当該押しボタン部材がケース本体の底板に当る際の衝撃音が発生することは避けられない構成となっている。この衝撃音はかなりの音量或は騒音となる、
【０００５】
テレビゲーム機の操作盤は、当該テレビゲーム機が業務用のものである場合には、操作時における複合操作スイッチや押しボタン式スイッチの発する操作音（衝撃音）はさほど問題とはならないが、家庭用テレビゲーム機の場合には、とくに深夜の操作時における操作音の発生は無視できず、この操作音によって安眠や静謐を妨げられるという問題が生じている。
【０００６】
そこで、本発明の目的は、操作盤に取り付けた複合操作スイッチや押しボタン式スイッチの操作時に極力操作音（衝撃音）の発生を防止したところの、とくにゲーム機用の操作盤を提供せんとするにある。
【課題を解決するための手段】
【０００７】
上述した目的を達成するために請求項１に記載の本発明は、上部側解放の下部ケース体とこの下部ケース体に上から被せられて固着された下部側を解放した上部ケース体とを有し、前記上部ケース体の上面に少なくとも複合操作スイッチと複数の押しボタン式スイッチを取り付けたゲーム機用の操作盤において、前記複合操作スイッチを、前記上部ケース体に取り付けた装着盤と、この装着盤を貫通して当該装着盤に対し前後左右方向へ揺動可能となるようにその略中間部を取り付けた操作レバーと、この操作レバーを囲んで一段又は複数段に渡って前記装着盤の下部に配設され、当該操作レバーによってＯＮ、ＯＦＦされる複数のマイクロスイッチと、前記装着盤に取付けられ前記操作レバーの自由端側が揺動可能となるように挿通させることのできる軟質の材料で構成したガイド孔を有するガイド板とで構成し、前記押しボタン式スイッチを、前記操作盤に取り付けられた筒状のケース本体と、このケース本体内部の底板に取り付けられたところの常に上方へ摺動付勢されたスイッチノブを有するプッシュスイッチと、前記ケース本体に対し上下方向へスライド可能に収装され前記スイッチノブを介して前記プッシュスイッチをＯＮ、ＯＦＦさせる筒状の押しボタン部材と、この押しボタン部材の両側に設けたそれ自身が弾性を有する係止部材と、この係止部材の先端部に設けた係止部と、前記ケース本体の外周に設けた前記係止部をガイドするガイド角孔と、前記底板の内底部の前記押しボタン部材の外周部分と衝接する部分に敷設した消音部材とで構成し、前記操作盤の少なくとも前記上部ケース体の裏側に前記複合操作スイッチと前記押しボタン部材の部分を囲んで吸音部材を取り付けたことを特徴とする。
【０００８】
請求項２に記載の発明は、前記マイクロスイッチに、リードスイッチを用いたことを特徴とする。
【０００９】
請求項３に記載の発明は、前記操作レバーがその傾倒時に前記ガイド孔と衝接する操作筒体の当接部を軟質の材料から成る消音部材で包囲するように成したことを特徴とする。
【００１０】
請求項４に記載の発明は、前記ガイド板のガイド孔を設けた部分を独立したガイド筒体とし、このガイド筒体の部分を軟質の材料から成る消音部材で構成したことを特徴とする。
【００１１】
請求項５に記載の発明は、前記ガイド板に設けたガイド孔の部分に軟質の材料から成る消音部材を取付けたことを特徴とする。
【００１２】
請求項６に記載の発明は、前記ガイド板に設けたガイド孔と、前記操作レバーに設けた当接部との双方に軟質の材料から成る消音部材を取り付けたことを特徴とする。
【００１３】
請求項７に記載の発明は、前記プッシュスイッチに、リードスイッチを用いたことを特徴とする。
【００１４】
請求項８に記載の発明は、前記押しボタン式スイッチの押しボタン部材に設けた前記係止部材の前記係止部が、ケース本体に設けた前記押しボタン部材の前記ガイド角孔の上部と当たる部分に、軟質の材料から成る消音部材を設けたことを特徴とする。
【００１５】
請求項９に記載の発明は、前記押しボタン式スイッチの前記押しボタン部材の前記ガイド角孔の上部側に、軟質の材料から成る消音部材を取り付けたことを特徴とする。
【発明の効果】
【００１６】
請求項１のように構成すると、操作盤やこの操作盤に取り付けたそれぞれの複合操作スイッチや押しボタン式スイッチに設けた消音手段により、操作音の発生を防止できるので、夜間、とくに深夜にテレビゲームを行って操作盤を操作しても、操作音から生じる騒音の発生を防止して、他人の安眠を妨害する恐れがないという作用効果を奏し得る。
【００１７】
請求項２のように構成すると、リードスイッチ自体が消音手段を構成することから、このリードスイッチのＯＮ、ＯＦＦ時に当該リードスイッチ自体の操作音がなくなるので、ガイド筒体のガイド孔を軟質の材料で構成したものと併用すると、より一層消音効果を期待することができるものである。
【００１８】
請求項３のように構成すると、操作レバーの操作筒体を軟質の材料から成る消音部材で包囲した当接部によって、操作レバーを操作した際に、当接部の側部がガイド孔の縁部に当たる際の衝撃音の発生を防止できることから、消音効果を発揮できるものである。
【００１９】
請求項４のように構成すると、ガイド板のガイド孔を設けた部分を独立したガイド筒体とし、このガイド筒体の部分を軟質の材料から成る消音部材で構成したことにより、操作レバーを操作した際に、当接部の側部がガイド孔の縁部に当たる際の衝撃音の発生を防止できることから、消音効果を発揮できるものである。
【００２０】
請求項５のように構成すると、ガイド板に設けたガイド孔の部分に軟質の材料から成る消音部材を施すことによって、操作レバーを操作した際に、当接部の側部がガイド孔の縁部に当たる際の衝撃音の発生を防止できることから、消音効果を発揮できるものである。
【００２１】
請求項６のように構成すると、ガイド板に設けた軟質の材料から成る消音部材と操作レバーの当接部に設けた吸音部材によってガイド板と操作レバーの双方に消音手段を設けたので、より一層の消音効果を発揮できるものである。
【００２２】
請求項７のように構成すると、リードスイッチ自体が消音手段を構成すること方から、当該リードスイッチのＯＮ、ＯＦＦ時に当該リード同士が衝接する際に衝撃音がなくなるので、より一層消音効果をあげることができるものである。
【００２３】
請求項８と９のように構成すると、押しボタン部材の復帰時においても、係止部材の係止部、或はガイド角孔に施した軟質の材料から成る消音部材によって、係止部がガイド孔の上端部と当る際の衝撃音の発生を防止できるので、より一層本発明の目的は達成できるものである。
【図面の簡単な説明】
【００２４】
【図１】本発明に係るとくに家庭用のテレビゲーム機の操作盤の斜視図である。
【図２】図１に示した操作盤の側面図である。
【図３】図１に示した操作盤の側断面図である。
【図４】図１に示した操作盤の上部ケース体の裏面図である。
【図５】図１に示した操作盤の下部ケース体の平面図である。
【図６】本発明に係る複合操作スイッチの正面図である。
【図７】図６に示した複合操作スイッチの底面図である。
【図８】図６に示した複合操作スイッチの縦断面図である。
【図９】図６に示した複合操作スイッチのリードスイッチの部分を示す底面断面図である。
【図１０】図６に示した複合操作スイッチのガイド板の部分の分解斜視図である。
【図１１】本発明に係る複合操作スイッチに用いるリードスイッチを示し、(ａ)図はその正面図、(ｂ)図はその側断面図、(ｃ)図はその内部構造を説明する説明図、(ｄ)図はその動作を説明煤説明図である。
【図１２】本発明に係る押しボタン式スイッチの正面図である。
【図１３】図１２に示した押しボタン式スイッチの側面図である。
【図１４】図１２に示した押しボタン式スイッチの正面断面図である。
【図１５】図１２に示した押しボタン式スイッチの側面断面図である。
【図１６】図１２に示した押しボタン式スイッチのクッション部材の斜視図である。
【発明を実施するための形態】
【００２５】
以下本発明の１実施例をテレビゲーム機の操作盤に実施した場合ついて説明するが、この操作盤は他の業務用のテレビゲーム機の操作盤或は他のゲーム機その他のものの操作盤としても用いることができ、その場合には、操作盤の形状や構造は当然に異なるものであり、そこに用いられる複合操作スイッチや押しボタン式スイッチの数や取付位置にも変更のあるものである。本発明は操作時における操作音の発生を極力防止するように構成したところにその特徴がある。
【実施例１】
【００２６】
図１乃至図５は、家庭用テレビゲーム機の操作盤の一実施例を示す。一般的にこの操作盤１は図示してないゲーム機本体に接続され、このゲーム機本体がテレビ受像機に接続される構成となっており、操作盤上の複合操作スイッチ２や押しボタン式スイッチ３、３・・などを操作することにより、テレビ受像機に映し出されたキャラクターを操作して楽しむものである。
【００２７】
操作盤１は合成樹脂製のもので、上部側解放の下部ケース体１ａとこの下部ケース体１ａに上から被せられて固着された下部側を解放した上部ケース体１ｂとから成り、上部ケース体１ｂの上面(装甲板という場合がある)に複合操作スイッチ２と、複数の押しボタン式スイッチ３、３・・・が、その他の操作スイッチ４、５、６と共に取り付けられている。
【００２８】
上部ケース体１ｂの裏側には、とくに図３と図４に示したように、複合操作スイッチ２の回りと、複数の押しボタン式スイッチ３、３・・・の回り、及びその前側を覆って、消音手段として、例えばモルトプレンのような発泡樹脂性の吸音部材７、７ａ、７ｂ、７ｃが貼着されている。
【００２９】
さらに、下部ケース体１ａの内底部には、とくに図３と図５に示したように、消音手段として、その前側に矩形上を呈した例えばモルトプレンのような発泡樹脂性の吸音部材８が貼着されている。
【００３０】
尚、この吸音部材７、７ａ、７ｂ、７ｃと吸音部材８の用い方は１例であって、実施例のものに限定されない。それは下部ケース体１aの内底面全域と上部ケース体１ｂの裏側全域に貼着してもよいし、必要に応じてその内側面全周あるいは一部に貼着させてもよい。貼着はその他の両面テープを用いての固着、弾性を利用しての固定、或は下部ケース体１ａにおいては単に設置するだけという固定方法があって、一つのものに限定されない。また、吸音部材７、７ａ、７ｂ、７ｃと吸音部材８も発泡樹脂以外の不織布その他の吸音ボードなどのものを用いることができる。
【００３１】
本発明に係る操作盤１は、後述する複合操作スイッチ２や押しボタン式スイッチ３、３・・などのゲーム中に頻繁に操作するスイッチを操作した際に発生する操作音を消音手段である吸音部材７、７ａ、７ｂ、７ｃと吸音部材８で吸収することができる。
【００３２】
図６乃至図１０は、本発明に係る複合操作スイッチ２の一実施例を示す。図面によれば、指示記号１０は平面略矩形状を呈した合成樹脂製の装着盤であり、図面ではその前後方向に取付孔１１ａを有する取付片１１が突設されると共に、平面部にはその四隅に取付孔１２が設けられている。この装着盤１０には、操作盤１の上部ケース体１ｂの装甲板１ｃへ固着されるものである。装着盤１の中央部には、その中心部軸方向を上下方向に貫通した挿通孔１３ａを有する湾曲凹部１３が設けられると共に、その縁部より弾性を附与された４本の係止部材１４が下方へ垂下されると共に、この各係止部材１４に対向して下方に向けて突起１５ａを有する台部１５が突設されている。
【００３３】
指示記号１６のものは操作レバーであり、この操作レバー１６は一端部に握り玉１６ａを有し、ロッド部１６ｂの略中央部に挿通固定させた湾曲凸部１７を装着盤１０に設けた湾曲凹部１３に嵌合させており、ロッド部１６ｂが湾曲凸部１７の挿通孔１７ａ内を貫通してその自由端側を装着盤１０の下方へ突出させている。操作レバー１６はまた、装甲板１ｃに設けた貫通孔１ｄを貫通しており、この貫通孔１ｄの上下部にカバー円板１８と１９が装甲板１ｃを挟んで設けられている。また、操作レバー１６の湾曲凸部１６ｃと握り玉１６ａの間にはスペーサー筒部２０が装着されている。
【００３４】
次に、操作レバー１６の湾曲凸部１７側には、受座部２１を挟んでバネ受部材２２が取り付けられており、操作レバー１６の自由端側には、小径の当接部２３ａと大径のスイッチ押圧部２３ｂを有する操作筒体２３が取り付けられ、Ｅリング２４によって抜け止め規制されて取り付けられている。そして、スイッチ押圧部２３ｂとバネ受部材２２との間には、ロッド部１６ｂを挿通させてコイルスプリングから成る弾性部材２５が弾設され、操作レバー１６の自立状態の維持と、該操作レバー１６を揺動させた場合の自動復帰がなされるように構成されている。尚、操作筒体２３の当接部２３ａの部分を例えば、ポロン（ＰＯＲＯＮ）のような耐衝撃性、耐摩耗性に優れたゴムなどの軟質の材料から成る消音部材で構成することにより、消音手段とすることができる。尚、この消音部材の材料は、ポロンに限定されず、他の耐衝撃性、耐摩耗性に富んだ適度な柔らかさと硬度を有する素材に変えることができる。
【００３５】
装着盤１０に設けた各台部１５の間には、操作レバー１６に取り付けた操作筒体２３のスイッチ押圧部２３ｂを囲んで４個のリードスイッチ２６が、各アクチュエータ２６ａを内側に向けて固定されている。この各リードスイッチ２６の下面側には平面略円板形状を呈した例えば合成樹脂製のガイド板２７が、その外周より外方向へ突設した４個の係止部２７ａに設けた各係止孔２７ｂを、係止部材１４の係止部１４ａへ係止させることによって取り付けられている。このことによって、各リードスイッチ２６は、ガイド板２７によって装着盤１０との間で狭持されている。また、ガイド板２７の各係止部２７ａより内側に設けた位置決め孔２７ｃには各台部１５に設けた突起１５ａが嵌入している。
【００３６】
ガイド板２７の中央部に設けた装着孔２７ｄには、消音手段として、例えばゴム製などの軟質の材料から成る消音部材で構成した鍔部２８ａ付のガイド筒体２８が上方より挿入されており、このガイド筒体２８には、とくに図７と図８及び図１０に示したように、平面略多角形状のガイド孔２８ｂが設けられている。尚、このガイド孔２８ｂの形状は実施例のものに限定されない。それは例えば、６角形状あるいは角部を丸くした４角形状のものもある。そして、このガイド孔２８ｂが操作筒体２３の当接部２３ａの外周と対向している。尚、このガイド筒体２８は、その外周に一対の係合突起部２８ｃ、２８ｃが設けられ、この係合突起部２８ｃ、２８ｃを装着孔２７ｄの係止溝２７ｅ、２７ｅと係合させることにより、回転しないようにガイド板２７に固定されている。ガイド板２７はまた、全体をゴムなどの軟質の材料で構成して消音手段としても良い。さらに、ガイド孔２８ｂの部分のみをゴムなどでライニング加工することによって消音手段としても良い。さらに、複合操作スイッチ２６の消音手段として、上述したように、ガイド孔２８ｂの部分を消音部材で構成した上で、操作レバー１６の操作筒体２３の当接部２３ａの部分を消音部材で構成することによって構成しても良い。
【００３７】
したがって、操作レバー１６は上述したように常に弾性部材２５の弾力により自立状態にあって、スイッチ押圧部２３ｂが各リードスイッチ２６のアクチュエータ２６ａのどれとも接触してないが、握り玉１６ａを手に持って前後左右に揺動させると、操作筒体２３の当接部２３ａはガイド孔２８ｂの縁部に当たって案内され、この時にスイッチ押圧部２３ｂで各リードスイッチ２６のアクチュエータ２６ａを開閉することができることになる。
【００３８】
その際に、当接部２３ａがガイド孔２８ｂの縁部に当たっても、この衝撃部分が消音手段の一例としての軟質の材料から成る消音部材で構成されていることから、衝撃音の発生することを有効に防止できるので、操作レバー１６の操作時における操作音の発生を抑え、防音効果を高めることができるものである。
【００３９】
尚、図示してないが本発明は、リードスイッチを複数段（通常は２段であるが）重ね合わせて配置した場合にもそのまま実施できるものもあり、図示のような一段のリードスイッチ群のものに限定されない。
【００４０】
図１１の（ａ）〜（ｃ）は、上記した複合操作スイッチ２に用いている、従来のマイクロスイッチに代わる消音手段の１例としての、リードスイッチ２６の内部構造を示す。図面によれば、このリードスイッチ２６は、ケース本体３１内に窒素ガスのような不活性ガスを封入したガラス管(バルブ)３２が設置されており、このガラス管３２の中には、図１１の（ｃ）に示したように、その両端部から例えばニッケル合金製の一対の強磁性体から成る弾性を有するリード３３、３４が挿入され、各先端側の接点部３３ａ、３４ａを所定間隔を空けて重ね合わせた状態で対置させられている。各リード３３、３４がガラス管３２より突出している部分には端子３５、３６が接続され、その各一端部がケース本体３１外へ導出されている。尚、本発明においては、リードスイッチを従来公知のマイクロスイッチとしても、操作レバーに消音手段が設けられているので、消音効果のある複合操作スイッチとすることができる。このマイクロスイッチを上記したリードスイッチ２６とすると、尚一層の消音効果があるということである。
【００４１】
ケース本体３１内には、さらにガラス管３２に対し若干の間隙をあけて、軸方向にＳ極とＮ極に分極された棒状の永久磁石３７が、捩じりコイルスプリング３８により一方向へ回動付勢されて設置されている。そして、この永久磁石３７にはその一端側にアクチュエータ２６ａの先端が当接している。
【００４２】
永久磁石３７は、図１１（ａ）に示したように、通常の非作動時には捩じりコイルスプリング３８により反時計方向へ回転付勢されてその軸方向がリード３３、３４の軸方向と同一方向に重な合った位置にあるが、アクチュエータ２６ａが押されると、図１１（ｂ）に示したように、捩じりコイルスプリング３８の弾力に抗して、図１１（ｂ）に示したように反時計方向へ回転し、ガラス管３２内のリード３３、３４とその軸方向が重ならなくなることから、一方のリード３３の方はＮ極に、他方のリード３４はＳ極に磁化される。すると、その磁力吸着力により各自由端側の接点部３３ａ、３４ａが接触してＯＮ状態となる。アクチュエータ２６ａに対する押圧力を取り去ると、図１１（ａ）に示したように、永久磁石３７は捩じりコイルスプリング３８の弾力により元位置に戻り、そのＳ極とＮ極がリード３３、３４に対し軸方向に平行に重なることから、リード３３、３４は消磁され、その自由端側の接点部３３ａ、３４ａがリード３３、３４の弾力により自動的に離れてＯＦＦ状態となる。
【００４３】
したがって、このリードスイッチ２６は、マイクロスイッチの場合と違って、各リード３３、３４の接点部３３ａ、３４ａがガラス管３２内部に封入されていることから、アクチュエータ２６ａの操作時に接点部３３ａ、３４ａ同士が当たる際の音が発生するのを有効に防止できることから消磁手段を構成することになるものである。
【００４４】
図１２乃至図１６は、操作盤１に用いる本発明に係る押しボタン式スイッチ３の詳細な構成を示す。図面によれば、本発明に係る押しボタン式スイッチ３は、操作盤１の上部ケース１ｂの装甲板１ｃに設けた取付孔１ｅに挿入固定させた筒状を呈した鍔部４６ａ付のケース本体４６と、このケース本体４６の底板４６ｂに装着されたプッシュスイッチ４７と、ケース本体４６内に上下方向へ摺動可能に収装された筒状の押しボタン部材４８とで構成されており、プッシュスイッチ４７のスイッチノブ４７ａの上部は押しボタン部材４８の内部に設けた取付筒部４８ａに挿入固定されている。ケース本体４６には、その両側部に弾性を付与された一対の取付片４６ｃ、４６ｃが揺動可能に設けられ、この各取付片４６ｃ、４６ｃの自由端側には、係止部４６ｄ、４６ｄが設けられており、取付孔１ｅに挿入させたケース本体４６が当該取付孔１ｅから抜け出ないように係止している。また、図１５に示されているように、指示記号４９，４９で示されたものは、係止部材４６ｄ、４６ｄの逃がし溝である。
【００４５】
また、押しボタン部材４８は、その外周の互いに対向する位置に２本の切込みを入れることにより、弾性を有する一対の係止部材４９、４９が設けられており、この各係止部材４９、４９の下端部には、係止部４９ａ、４９ａが設けられ、この係止部４９ａ、４９ａはケース本体４６の外周に設けた一対のガイド角孔４６ｅ、４６ｅ内に嵌入している。そして、押しボタン部材４８の下端部とケース本体４６の底板４６ｂとの間には、押しボタン部材４８の消音手段を構成するところの、中央部に貫通孔５０ａを設けて成る平面ドーナッツ円盤形状を呈した例えばゴム製の消音部材５０が設置されている。
【００４６】
したがって、押しボタン部材４８を手指で押した際に、当該押しボタン部材４８の下端部が底板４６ｂに当たる際に発生する衝撃音は、消音部材５０で吸収され、操作音の発生を抑えることができるものである。
【００４７】
尚、押しボタン式スイッチの消音手段としては、押しボタン部材を押圧操作して力を抜いたときに、自動復帰する係止部材４９、４９の係止部４９ａ、４９ａがガイド角孔４６ｅ、４６ｅの上部側と当る部分や、ガイド角孔４６ｅ、４６ｅの上部側などに、例えばゴムなどの吸音部材を取り付けることによって、消音手段とすることができるものである。この場合には、上記した消音部材５０と併用すれば、より一層の消音効果が期待できよう。
【００４８】
よって、以上詳細に説明したところから明らかなとおり、テレビゲーム時に頻繁に操作盤１上の複合操作スイッチ２や押しボタン式スイッチ３、３・・を操作しても、当該複合操作スイッチ２や押しボタン式スイッチ３、３・・には消音部材によって操作音が発生するのを防止されていることと、操作盤１自体にも吸音部材７、７ａ、７ｂ、７ｃ及び吸音部材８から成る消音手段を取り付けてあることから、より一層操作音の発生を防止でき、とくに夜間などの寝静まったときにテレビゲームを行って操作盤を操作しても、同室あるいは隣室の人の安眠を妨げる心配のないものであり、その際に発生するトラブルを未然に防止することもできるものである。
【産業上の利用可能性】
【００４９】
本発明は以上のように構成したので、 とくに家庭用のテレビゲーム機、或はその他のゲーム機などの操作盤として好適に用いられるものである。
【符号の説明】
【００５０】
１  操作盤
２  複合操作スイッチ
３  押しボタン式スイッチ
７、７ａ、７ｂ、７ｃ  吸音部材
８  吸音部材
１０  装着盤
１４  係止部材
１４ａ  係止部
１６  操作レバー
２３  操作筒体
２３ａ  当接部
２６  リードスイッチ
２７  ガイド板
２７ａ  係止部
２８  ガイド筒体
２８ｂ  ガイド孔
３１  ケース本体
４６  ケース本体
４６ｂ  底板
４６ｄ  係止部
４６ｅ  ガイド角孔
４７  プッシュスイッチ
４７ａ  スイッチノブ
４８  押しボタン部材
４９  係止部材
４９ａ  係止部
５０  消音部材
【図１】
0005635563.tif 000002
【図２】
0005635563.tif 000003
【図３】
0005635563.tif 000004
【図４】
0005635563.tif 000005
【図５】
0005635563.tif 000006
【図６】
0005635563.tif 000007
【図７】
0005635563.tif 000008
【図８】
0005635563.tif 000009
【図９】
0005635563.tif 000010
【図１０】
0005635563.tif 000011
【図１１】
0005635563.tif 000012
【図１２】
0005635563.tif 000013
【図１３】
0005635563.tif 000014
【図１４】
0005635563.tif 000015
【図１５】
0005635563.tif 000016
【図１６】
0005635563.tif 000017